(57)【特許請求の範囲】
【請求項１】
長尺物の素材に潤滑剤を付着して加工する加工工程と、
螺旋状の誘導加熱コイルに挿通されている絶縁管中を昇温ガス雰囲気とし、前記加工工程を経た前記長尺物の素材を前記絶縁管内に挿通して誘導加熱する熱処理工程と、
を含み、
前記熱処理工程において、加熱器により昇温したガスを前記絶縁管の上流側から前記絶縁管内に導入し、前記長尺物の素材を当該素材の移送方向にガスブローする加工処理方法。
【請求項２】
長尺物の素材に潤滑剤を付着して加工する加工手段と、
螺旋状の誘導加熱コイルに絶縁管を挿通して成る加熱手段と、
を備え、
前記加工手段により加工された長尺物の素材を、昇温ガス雰囲気中の前記絶縁管内に挿通して前記誘導加熱コイルにより熱処理する、加工処理装置であって、
前記加熱手段には、ガスを昇温する加熱器を有し、前記加熱器により昇温したガスを前記絶縁管の上流側から前記絶縁管内に導入するガス導入手段が設けられている加工処理装置。
【発明の詳細な説明】
【技術分野】
【０００１】
本発明は、長尺物を得るために素材を加工して熱処理する加工処理方法及び装置に関する。
【背景技術】
【０００２】
鋼棒や鋼線などの長尺物は、引抜きなどの塑性加工を施した上で、強度や靭性を保つために焼入れ、焼戻し等の熱処理を施して製造される。
【０００３】
ところで、特許文献１に開示されている技術では、高周波焼入れを行う際、前工程で発生したゴミや切粉がワークに付着しているとスパーク等を発生するおそれがあるため、圧縮空気をワークに噴射してゴミや切粉を吹き飛ばしている。また、特許文献２に開示されている技術では、コイルに付着したスケールを除去するために、コイルの外周側に洗浄ノズルを設け、洗浄ノズルから水を噴射している。
【先行技術文献】
【特許文献】
【０００４】
【特許文献１】特開平６−１２８６２５号公報
【特許文献２】特開２０１１−１５８０号公報
【発明の概要】
【発明が解決しようとする課題】
【０００５】
前述した長尺物は、潤滑剤を素材に付着して塑性加工し、そのまま連続して素材に潤滑材が付着した状態で高周波熱処理する。そのため、高周波加熱コイルの寿命が短くなる。
【０００６】
そこで、本発明は、塑性加工した素材を連続して高周波加熱処理を行っても、製造ラインに支障をきたすことなく、低コストで長尺物を製造することができる、加工処理方法及び装置を提供することを目的とする。
【課題を解決するための手段】
【０００７】
本発明は、前記目的を達成するための次の手段を講じる。
［１］長尺物の素材に潤滑剤を付着して加工する加工工程と、
螺旋状の誘導加熱コイルに挿通されている絶縁管中を昇温ガス雰囲気とし、前記加工工程を経た前記長尺物の素材を前記絶縁管内に挿通して誘導加熱する熱処理工程と、
を含み、
前記熱処理工程において、加熱器により昇温したガスを前記絶縁管の上流側から前記絶縁管内に導入する加工処理方法。
［２］長尺物の素材に潤滑剤を付着して加工する加工手段と、
螺旋状の誘導加熱コイルに絶縁管を挿通して成る加熱手段と、
を備え、
前記加工手段により加工された長尺物の素材を、昇温ガス雰囲気中の前記絶縁管内に挿
通して前記誘導加熱コイルにより熱処理する、加工処理装置であって、
前記加熱手段には、ガスを昇温する加熱器を有し、前記加熱器により昇温したガスを前記絶縁管の上流側から前記絶縁管内に導入するガス導入手段が設けられている加工処理装置。
【発明の効果】
【０００８】
本発明によれば、長尺物の素材に潤滑剤を付着して加工した上で、連続して、螺旋状の誘導加熱コイル内に挿入された絶縁管内の昇温ガス雰囲気中に移送するので、誘導加熱される前後間において、長尺物の素材に付着した潤滑剤を除去することができる。昇温ガスを長尺物の素材にブローすることで、絶縁管の内壁に潤滑剤又はその変形物が付着し難くなり、絶縁管を取り替える等のメンテナンス回数が減り、製造ラインに支障をきたすことなく、低コストで長尺物を製造することができる。
【図面の簡単な説明】
【０００９】
【図１】本発明の実施形態に係る加工処理装置を模式的に示す図である。
【発明を実施するための形態】
【００１０】
以下、図面を参照しながら、本発明の実施形態を詳細に説明する。図１は本発明の実施形態に係る加工処理装置を模式的に示す図である。
【００１１】
本発明の実施形態に係る加工処理装置１は、図１に示すように、複数組の搬送機構（図示せず）により長尺物の素材Ｗが移送されるライン上に、加工手段２と加熱手段３とが上流側から下流側に順に配置されて構成される。
【００１２】
加工手段２は、潤滑剤を素材Ｗに付着して塑性加工等の加工処理を行う。塑性加工としては、例えば引抜加工が挙げられる。
【００１３】
加熱手段３は、加工工程を経た素材Ｗを通電加熱する。図１に示す形態では、加熱手段３は、螺旋状の誘導加熱コイル３ａと、誘導加熱コイル３ａの中空に挿通した絶縁管３ｂと、絶縁管３ｂ内をガス雰囲気とするためのガス導入手段３ｃとを有する。
【００１４】
加熱手段３は、誘導加熱コイル３ａの中空に挿入して移送される素材Ｗを誘導加熱する。螺旋状の誘導加熱コイル３ａの長さは、素材Ｗの太さ及び長さと、誘導加熱コイル３ａに供給する電流の大きさにより、所定の温度まで素材Ｗを加熱するように選定される。絶縁管３ｂは、素材Ｗと誘導加熱コイル３ａとの間でスパークの発生を阻止するために設けられる。絶縁管３ｂは誘導加熱コイル３ａの両側に突出しており、絶縁管３ｂの上流側にはガス導入手段３ｃが接続されている。
【００１５】
ガス導入手段３ｃは、ガス導入管３ｄと、ガス導入管３ｄに供給するガスを加熱する加熱器３ｅとを備える。ガス導入管３ｄは、絶縁管３ｂの上流側端に当接して係合するようにその先端が一部欠けている。
【００１６】
本発明の実施形態に係る加工処理装置１によれば、搬送手段により素材Ｗが送り出され、先ず、加工手段２により、素材Ｗに例えば引抜き等の塑性加工が施される。その際、加工手段２において潤滑剤を素材Ｗの表面に付着して塑性加工する。よって、加工手段２から加熱手段３へ移送される素材Ｗの表面に潤滑剤が付着している。
【００１７】
加熱手段３において、絶縁管３ｂ内は、ガス導入手段３ｃにより昇温したガス雰囲気となっているので、誘導加熱される前に又はその途中で、素材Ｗの表面に付着した潤滑剤を燃焼するなどして素材Ｗの表面から除去される。ガス導入手段３ｃにより昇温ガスが順次導入されるので、誘導加熱コイル３ａにより誘導加熱される際又はその途中において潤滑剤が素材Ｗから除去され又は潤滑剤が昇温により反応して一部が気体の生成物となり、絶縁管３ｂから外部に放出される。
【００１８】
このように、絶縁管３ｂ内の上流側で、素材Ｗに昇温ガスを斜めにブローするので、そのガス流によって潤滑剤が気化又は別の生成物として気化しても、絶縁管３ｂの内周面に飛来する前に絶縁管の口から外部に放出され易くなる。従って、絶縁管３ｂの内周面が、潤滑剤又はその熱による生成物が付着し難くなり、絶縁管内に潤滑剤等の汚物が堆積し難くなる。
【００１９】
このように、絶縁管内に潤滑剤の汚物が堆積し難いことから、長尺物の製造ラインのうち、加熱手段３の一部、例えばガス導入手段３ｃを絶縁管３ｂから外して絶縁管３ｂを交換等する回数が減少し、製造効率を向上させることができる。
【００２０】
潤滑剤としては、例えば粉末の潤滑剤や湿式の伸線用潤滑剤、引抜潤滑剤が用いられ、その潤滑剤には各種の有機物や界面活性剤などが含まれているので、昇温のガスにより素材Ｗから除去され易い。
【００２１】
ガスとしては、空気、不活性ガス等が用いられる。不活性ガスを用いることで、誘導加熱の際、素材Ｗの表面が酸化され難くなる。また、空気を用いることで、製造コストを抑えることができる。不活性ガスを用いるか空気を用いるかは製造される長尺物の種類や品質により決定される。
【符号の説明】
【００２２】
１：加工処理装置
２：加工手段
３：加熱手段
３ａ：誘導加熱コイル
３ｂ：絶縁管
３ｃ：ガス導入手段
３ｄ：ガス導入管
３ｅ：加熱器
Ｗ：長尺物の素材
【図１】
0006607706.tif 000002